(57)【要約】      （修正有）【課題】簡易で且つ低コストで設置できる自動消火器及びこの自動消火器を使用した簡易スプリンクラーを提供する。【解決手段】適宜量の消火液と高圧空気を充填した耐圧ボトル１と、内部にＴ字通路を設けると共に、開口端の一方を耐圧ボトルの開口個所に連結し、分岐口に逆止弁を付設した高圧空気の供給体２と、供給体の他方開口端に連結した熱開放型のノズル体３とで構成した自動消火器を、天井Ｂに設けた開口部Ｂ１にノズル体３の噴射口を望ませて天井裏に設置し、又は適宜な保持体で保持すると共に、ノズル体３を下方に室内の所望位置に設置する。【選択図】図３
0003217796.tif 000002
【実用新案登録請求の範囲】
【請求項１】
適宜量の消火液と高圧空気を充填した耐圧ボトルと、内部にＴ字通路を設けると共に、開口端の一方を耐圧ボトルの開口個所に連結し、分岐口に逆止弁を付設した高圧空気の供給体と、前記供給体の他方開口端に連結した熱開放型のノズル体とで構成したことを特徴とする自動消火器。
【請求項２】
耐圧ボトルに、既存の炭酸飲料用１リットル容量のペットボトルを使用してなる請求項１記載の自動消火器。
【請求項３】
供給体を超高分子量ポリエチレンで形成した請求項１又は２記載の自動消火器。
【請求項４】
請求項１乃至３記載の何れかの自動消火器を、天井に設けた開口部にノズル体の噴射口を望ませて天井裏に設置してなる簡易スプリンクラー。
【請求項５】
請求項１乃至３記載の何れかの自動消火器を、適宜な保持体で保持すると共に、ノズル体を下方に室内の所望位置に設置してなる簡易スプリンクラー。
【考案の詳細な説明】
【技術分野】
【０００１】
本考案は、自動消火器及び前記消火器を使用した簡易スプリンクラーに関するものである。
【背景技術】
【０００２】
初期消火対策としての簡易スプリンクラー（自動消火装置）は、ホテルなどで設置されている施設全体をカバーするシステムではなく、各室内特にコンロ近傍の天井や壁面に設置し、火災発生（高温雰囲気）を検知すると、消化剤等を噴射・散布を行うようにしたもので、種々の構成の設置器具が提案される。
【０００３】
例えば特許文献１，２，３には、消火剤タンクと噴射用圧力ボンベを備え、ボンベに熱検知開閉弁機構或いは加圧媒体タンクを開封する撃針機構を備え、高圧気体で常圧貯留消火剤を噴射する自動消火器を台所の天井に設置する簡易スプリンクラーが開示されている。
【先行技術文献】
【特許文献】
【０００４】
【特許文献１】特開２００５−１３７４９３号公報。
【特許文献２】特開２００６−１０２４１０号公報。
【特許文献３】特開２０１３−３４７１９号公報。
【考案の概要】
【考案が解決しようとする課題】
【０００５】
消化剤タンクと噴射用圧力ボンベの組み合わせによる小型自動消火器を天井などに設置する場合に小型化が要望されるが、自動消火器装置内に熱検知と消火剤噴射のための配管を組み込む必要があり、小型化には限度があると共に相応のコスト高となる。
【０００６】
そこで本考案は簡易で且つ低コストで設置できる自動消火器及び前記自動消火器を使用した簡易スプリンクラーを提案したものである。
【課題を解決するための手段】
【０００７】
本考案の請求項１記載に係る簡易自動消火器は、適宜量の消火液と高圧空気を充填した耐圧ボトルと、内部にＴ字通路を設けると共に、開口端の一方を耐圧ボトルの開口個所に連結し、分岐口に逆止弁を付設した高圧空気の供給体と、前記供給体の他方開口端に連結した熱開放型のノズル体とで構成したことを特徴とするものである。
【０００８】
前記の耐圧ボトルへの消火液等の充填は、開口状態の耐圧ボトル内に適宜量の消火液を注入した後に供給体とノズル体を装着し、逆止弁の箇所から高圧空気を送り込むことで行われる。
【０００９】
また本考案の請求項２記載の簡易自動消火器は、耐圧ボトルに既存の炭酸飲料用１リットル容量のペットボトルを使用してなるもので、廃棄物として分別処理される既存のペットボトルを有効に利用でき、コストダウンに貢献する。
【００１０】
また本考案の請求項３記載の簡易スプリンクラーは、供給体を超高分子量ポリエチレンで形成したもので、消火液に対して耐久性、耐薬品性に優れており、永年使用に耐え得るものとなる。
【００１１】
本考案に係る簡易スプリンクラーは、前記した自動消火器を、天井に設けた開口部にノズル体の噴射口を望ませて天井裏に設置し、又は適宜な保持体で保持すると共に、ノズル体を下方に室内の所望位置に設置してなることを特徴とするものである。
【００１２】
而して火災が発生した際（熱を感知した時）、ノズル体の閉鎖部が変形又は溶融して開口状態となり、ペットボトル内の高圧空気で消火液が押し出され、ノズル体から消火液が散布されるものである。
【考案の効果】
【００１３】
本考案の構成は上記のとおりで、小型で簡易な構造の低コストの自動消火器を使用することで低コストの簡易スプリンクラーを提供できたものである。
【図面の簡単な説明】
【００１４】
【図１】本考案の実施形態の自動消火器への消火剤等の充填手順の説明図。
【図２】同供給体の説明図。
【図３】同設置例の説明図（天井裏設置）。
【図４】同図（保持体を使用した設置）。
【考案を実施するための形態】
【００１５】
本考案の実施形態に示した自動消火器Ａは、耐圧ボトル１と、供給体２と、ノズル体３からなり、耐圧ボトル１は、使用済みの炭酸飲料用１リットル容量のペットボトルを再利用するものである。
【００１６】
供給体２は、超高分子量ポリエチレン（商品名：ニューライト樹脂）で適宜な内部にＴ字通路２１を設けたもので、前記Ｔ字通路２１の一方の開口端に耐圧ボトル１の開口部の螺子部１１と一致するボトル螺合部２２を設け、他方端に後述するノズル体３の装着螺合部２３を設け、分岐口２４に逆止弁（既成部品）２５を付設してなるものである。
【００１７】
ノズル体３は、所謂熱開放型のスプリンクラーヘッドで、閉鎖部が熱によって変形又は溶融して開口状態となる既成製品を採用したもので、後述するカバー体４に螺合装着する螺子部３１を設けてなる。
【００１８】
自動消火器Ａの耐圧ボトル１には消火液ａ及び高圧空気（約３気圧）を充填するもので、充填手順は、最初に開口状態の１リットルのペットボトル（耐圧ボトル）１に適宜量（５００ｃｃ）の消火液ａを注入する（図１イ）。
【００１９】
次に供給体２とノズル体３を螺合装着し、ペットボトル１を立てたまま、逆止弁２５に別置の高圧空気供給装置（空気ボンベに連結した供給ホースｂの先端に供給ノズルｃを設けると共に供給ホースｂの中間に開閉弁を介装してなる）の供給ノズルｃを連結して高圧空気を充填する。尚供給体２とペットボトル１の開口部との間には、耐腐食性のシールパッキン１２を介装する。
【００２０】
簡易スプリンクラーは、上記の消火液ａ及び高圧空気が充填された自動消火器Ａを所望の室内に設置するものであるが、天井裏への設置の場合は、天井板Ｂに適宜な開口部Ｂ１を設け、前記開口部Ｂ１に所定のカバー体４を装着する。
【００２１】
前記カバー体４は円盤状のカバー板４１と、カバー板４１の中心で開口部Ｂ１と対応する筒状部４２からなり、カバー板４１は天井板Ｂに固定する構造を備え、筒状部４２は内周面にノズル体３の螺子部３１を螺合する螺子を刻設してなる。
【００２２】
而して天井板Ｂにカバー体４を固定し、自動消火器Ａのノズル体３を下方にして筒状部４２に螺合し、自動消火器Ａを屋根裏に設置する（図３）。
【００２３】
従って室内で火災が発生した際（熱を感知した時）、ノズル体３の閉鎖部が変形又は溶融して開口状態となり、耐圧ボトル（ペットボトル）１内の消火液ａが高圧空気で押し出され、ノズル体３から散布され、消火がなされる。
【００２４】
また室内に自動消火器Ａを設置するには、適宜な保持体５を使用する。例えば保持体５がベース板部５１と肩保持部５２と連結紐５３で構成し、ベース板部５１は、天井板Ｂへの固着手段（例えばビス孔）を備えた周板と、ペットボトル１の底部を嵌合する嵌合部を設けたものである。
【００２５】
肩保持部５２は、金属線材や紐材で形成され、ペットボトル１の肩部分を囲繞するように装着するものであり、連結紐５３は、前記のベース板部５１の嵌合部と肩保持部５２を連結して自動消火器Ａと保持体５を一体とするものである。
【００２６】
而して保持体５を装着した自動消火器Ａは、ベース板部５１を天井板Ｂに固着することで、ノズル体３を下方にして室内に設置されることになる（図４ロ）。従って火災に際しては、ノズル体３が開口状態となり、耐圧ボトル（ペットボトル）１内の消火液ａが高圧空気で押し出され、ノズル体３から散布され、消火がなされる。
【００２７】
尚自動消火器Ａの設置は天井板に限らず、室内の壁面にも設置することができるが、その設置に際しては火災に際しての消火液の噴射方向を考慮する必要がある。
【符号の説明】
【００２８】
Ａ      自動消火器
１    耐圧ボトル（ペットボトル）
１１  螺子部
１２  シールパッキン
２    供給体
２１  Ｔ字通路
２２  ボトル螺合部
２３  装着螺合部
２４  分岐口
２５  逆止弁
３    ノズル体
３１  螺子部
４    カバー体
４１  カバー板
４２    筒状部
５    保持体
５１    ベース板部
５２    肩保持部
５３    連結紐
Ｂ    天井板
【図１】
0003217796.tif 000003
【図２】
0003217796.tif 000004
【図３】
0003217796.tif 000005
【図４】
0003217796.tif 000006